(57)【要約】【課題】詳細な部分の運行データの変更も容易に行うことができるエレベータの運行データ書換え装置を提供する。【解決手段】マイコン基板２に通信網Ｎを介して接続されこのマイコン基板２から制御情報を収集するデータ収集装置６と、制御盤１に通信回線Ｎを介して接続され前記データ収集装置６に収集されたデータを読み出す端末装置５と、この端末装置５と公衆通信回線網ｆを介して接続され前記読み出されたデータを受信しエレベータの運行線図を作成すると共に、その運行線図の一部分が選択されることにより、その選択部分に応じて変更可能な複数の運行データ値を表示させ、変更される運行データ値が入力されたなら前記マイコン基板２へ入力値を伝送し、運行データ値を書き換える監視装置１０とを備えた。【選択図】図１
2005053640.tif 000002
【特許請求の範囲】
【請求項１】
マイコン基板を具備する制御盤で制御されるエレベータの運行データ書換え装置において、
前記マイコン基板に通信網を介して接続されこのマイコン基板から制御情報を収集するデータ収集装置と、前記制御盤に通信回線を介して接続され前記データ収集装置に収集されたデータを読み出す端末装置と、この端末装置と公衆通信回線網を介して接続され前記読み出されたデータを受信しエレベータの運行線図を作成すると共に、その運行線図の一部分が選択されることにより、その選択部分に応じて変更可能な複数の運行データ値を表示させ、変更される運行データ値が入力されたなら前記マイコン基板へ入力値を伝送し、運行データ値を書き換える監視装置とを備えて構成したことを特徴とするエレベータの運行データ書換え装置。
【請求項２】
上記変更可能な複数の運行データ値は、変更するデバイスのアドレス値と、そのデバイスに書き込まれる変更後のデータ値であることを特徴とする請求項1記載のエレベータの運行データ書換え装置。
【請求項３】
上記変更可能な複数の運行データ値は、エレベータの乗かごの優先停止階、停止時間帯、一回の停止時間、停止日の少なくとも一つを含むことを特徴とする請求項1記載のエレベータの運行データ書換え装置。
【発明の詳細な説明】
【技術分野】
【０００１】
本発明は、エレベータの運行データ書換え装置に関する。
【背景技術】
【０００２】
従来において、現在の運行データを収集すると共に、この運行データから現在の運行データが最適か否か判断し、否であった場合に最適運転モードに制御プログラムを書き換えるものが提案されていた（特許文献1参照）。
【特許文献１】特開２００２−６８６２３公報（段落番号００１２〜００３５，図４〜６）
【発明の開示】
【発明が解決しようとする課題】
【０００３】
上記従来技術は、顧客の要望も踏まえて自動的に最適運転モードを設定できる点で優れているが、顧客の要望が詳細な部分まで及んだ場合、その変更が出来ないという不都合があった。
【０００４】
本発明は上記不都合を鑑みて為されたものでその目的は、詳細な部分の運行データの変更も容易に行うことができるエレベータの運行データ書換え装置を提供するにある。
【課題を解決するための手段】
【０００５】
本発明は上記目的を達成するために、マイコン基板を具備する制御盤で制御されるエレベータの運行データ書換え装置において、前記マイコン基板に通信網を介して接続されこのマイコン基板から制御情報を収集するデータ収集装置と、前記制御盤に通信回線を介して接続され前記データ収集装置に収集されたデータを読み出す端末装置と、この端末装置と公衆通信回線網を介して接続され前記読み出されたデータを受信しエレベータの運行線図を作成すると共に、その運行線図の一部分が選択されることにより、その選択部分に応じて変更可能な複数の運行データ値を表示させ、変更される運行データ値が入力されたなら前記マイコン基板へ入力値を伝送し、運行データ値を書き換える監視装置とを備えて構成したことを特徴とする。
【０００６】
このように本発明によれば、収集データから運行線図を作成し、変更を加えたい部分を選択すれば、その選択部分に応じた複数の変更可能な運行データを表示させることができ、この複数の運行データの中から、変更したいデータを入力すれば、誰でも容易に詳細な部分の運行データ変更を行うことが可能となる。
【発明の効果】
【０００７】
本発明は上記のようにエレベータの運行データ書換え装置を構成したため、詳細な部分の運行データの変更も容易に行うことができる。
【発明を実施するための最良の形態】
【０００８】
以下、本発明の一実施形態例を図面に基づき説明する。
【０００９】
図１において、エレベータの機械室に設けられた制御盤１には、エレベータの運転制御をするマイコン基板（ＭＰＵ基板）２が設けられている。
【００１０】
乗場押釦３が押されると、これを検知した乗場押釦３内に設けたマイコン４（１／Ｆ基板）が、エレベータ専用通信網Ｎを介して前記マイコン基板２へ押し圧された乗場階床と上昇もしくは下降を示すデータを送る。
【００１１】
前記エレベータ専用通信網Ｎにて通信を行う場合は、前記エレベータ専用通信を行う専用の回路が、前記マイコン基板２、乗場押釦３内に設けたマイコン４間に設けられているためこれを利用し、乗場押し釦３が押された場所を前記マイコン基板２が解読し、乗りかごをその階まで動かす。
【００１２】
エレべ−タの運転制御をする前記マイコン基板２から送られてくるエレベータの運転状況および、前記マイコン基板２の動作状況を監視している端末装置５がある。
【００１３】
エレベータの運転で安全装置が動作したなどエレベータの運転で異常が発生した場合や前記マイコン基板２の動作が異常となった場合に、前記端末装置５へ前記エレベータ専用通信網Ｎを介して前記マイコン基板２が異常情報を伝送する。また、前記端末装置５にも前記エレベータ専用通信を行う専用の回路が設けられている。
【００１４】
異常を検知した前記端末装置５は、電話回線網ｆを介して前記端末装置５を監視している保守出動拠点８へ異常発報する。この端末装置５から送られてくる発報を、保守出動拠点８に設けた受信装置９が受信し監視装置１０に送る。なおこの監視装置１０は、表示器１０ａとメモリ１０ｂを含んで成る。
【００１５】
保守出動拠点８では、表示器１０ａに表示された異常発報の内容を確認し対応する。
【００１６】
また、前記マイコン基板２にはデータ収集装置６が通信網Ｎを介して接続されており、マイコン基板２から制御情報を読出し記憶している。
【００１７】
図２において、前記データ収集装置６は、エレベータ機種毎にことなる前記エレベータ専用通信網Ｎに見合うよう前記エレベータ専用の通信回路が少なくともひとつ以上搭載している。図示では通信回路１１、１２、１３であり、通信回路を切り替えは選択回路１４で行われる。これらを制御するＣＰＵ１５と収集したデータを格納する大容量メモリ６ａから構成される。
【００１８】
前記出動拠点８からエレベータの運行状態を確認する際は、先ず、前記保守出動拠点８からデータ収集開始指令が前記端末装置５を介して送られる。この収集開始指令は、あるアルゴリズムから作成される暗号データが格納されており前記データ収集装置６も作成したときと同一の暗号作成アルゴリズムで作成した前記暗号データを解読、一致したことを確認した後に、前記データ収集装置５がデータを収集する準備に入る。
【００１９】
前記マイコン基板２に格納されているデータは、先に述べた運行パターンデータやエレベータを制御するプログラムデータ、仕様データなど重量なデータが格納されている。従って、前期保守出動拠点８と前記データ収集装置６におけるデータ収集に関する指令にはすべて前記暗号データが付加し、これにより他システムからの前記電話回線ｆから不法に侵入しデータ収集することを阻止している。
【００２０】
例えば、群管理式エレベーターように複数のエレベーター制御している顧客においては、日々の運行状態をある期間内調査しエレベーター運行状態が適正かつ円滑であるかを報告している。オフィスビルなどは、朝夕の出勤・退勤時は上・下方向の乗場釦を優先とし昼食時は食堂階乗場釦を優先にサポートしている。このように、ビル用途に応じエレベーターの使用目的や運行状況が異なっておりこれを管理する顧客から使い勝手向上に伴い運行状態を変更する依頼も多い。
【００２１】
この場合、保守出動拠点８から当該、顧客からエレベータ運行に関するデータ、例えば、乗場かご呼びデータや乗りかご位置階床データ、乗りかご荷重データなどを前記データ収集装置６にエレベータ専用の通信回路を介して読み出す。
【００２２】
読出しは、前記保守拠点８から設定した期間、例えば、２４時間１週間分をメモリにする。
【００２３】
この期間を過ぎると前記端末装置５から前記保守出動拠点８の監視装置１０に送信する。
【００２４】
前記保守出動拠点８の保守員は、収集した各種運行データに基づき前記監視装置１０にて作図されるエレベータ運行線図や、各階床の乗客乗り降り人数グラフ等から現在の運行状態をシュミレーションする。
【００２５】
保守員は、顧客からの改善要望を前記監視装置１０でエレベータ運行に影響するドア開閉時限や乗りかご登録方法、運行パターンを時間帯で分散させるようデータ入力すると前記監視装置１０の記憶装置から過去に蓄積した運行データパターンを選び出し、これを再び、監視装置１０にてエレベータ運行線図や各階床の乗客乗り降り人数グラフを作図し顧客からの要求に満足する運行となるか否かをシュミレーションする。
【００２６】
保守員がシュミレーション結果から良好な運行パターンを把握した後各種データを前記端末装置５介して運行変更要求を受けた顧客ビルに設置したエレベータ前記制御盤１内のデータ収集装置６に送信する。
【００２７】
前記監視装置１０に作図される運行パターンやシュミレーションは、全てエレベータ個々のデバイス（電子式リレー）状態から作図するものである。
【００２８】
例えば、顧客よりある特定日の昼食時に食堂階に向かうエレベータを通常より多くさせたいなど通常の運行パターンでは無い要求を急遽受ける場合は、図３に示すように保守員が前記監視装置１０に格納された日々のエレベータ運行データを読出し、昼食時に食堂階に向かうエレベータの例えば乗場呼び信号を示す一部分をカーソル線で選択する。
【００２９】
その後、この選択部分に応じて変更可能な運行データ値が、図４に示すように一覧で表示される。
【００３０】
この運行データ値は、変更するデバイスのアドレス値と、そのデバイスに書き込まれる変更後のデータ値を示している。
【００３１】
このデータを元に再び、前記監視装置１０で運行パターンを作図しシュミレーションを重ね顧客の要望に添うまで前記デバイスのデータ値を変更する作業を繰返す。
【００３２】
作業完了後、前記監視装置１０に変更したデバイス値とデータ値を入力し、この監視装置１０から前記受信装置９、前記端末装置５を介して、前記データ収集装置６のメモリ６aに前記変更したデバイス値とデータ値を伝送し格納する。
【００３３】
この伝送は、前記ＭＰＵ基板２内のエレベータ運行仕様データの書換えを実施することを示す。
【００３４】
このように本発明によれば、収集データから運行線図を作成し、変更を加えたい部分を選択すれば、その選択部分に応じた複数の変更可能な運行データを表示させることができ、この複数の運行データの中から、変更したいデータを入力すれば、誰でも容易に詳細な部分の運行データ変更を行うことが可能となる。
【００３５】
前記データ収集装置６は伝送が終了するとエレベータが稼動中か否かを前記エレベータ通信網Ｎで伝送されるデータからエレベータ状態を随時、確認する。
【００３６】
なお、前記デバイス値データは、エレベータ運行に関する仕様データであり制御プログラムは変更しない。
【００３７】
また、エレベータのデータ変更は、休日の夜間などエレベータ稼動の停止している状態が長い時間帯で行うが万一、顧客のエレベータ利用に伴い乗りかご呼び登録がされた場合は、データの書込みを中止する。
【図面の簡単な説明】
【００３８】
【図１】本発明の一実施形態例に係り、エレベータの運行データ書換え装置のシステム構成図である。
【図２】本発明の一実施形態例に係り、データ収集装置構成ブロック図である。
【図３】本発明の一実施形態例に係り、データ収集装置で収集し監視装置に表示するエレべータの運行線図である。
【図４】本発明の一実施形態例に係り、顧客要求に応じて変更するデバイス仕様の説明図である。
【符号の説明】
【００３９】
１    エレベータ制御盤
２    エレベータ制御マイコン基板
３    乗場押し釦
４    マイコン基板
５    端末装置
６    データ収集装置
８    保守出動拠点
９    受信装置
１０  監視装置
１０ａ表示器
１０ｂメモリ
１１  通信回路１
１２  通信回路２
１３  通信回路３
１４  選択回路
１５  ＣＰＵ
１６  メモリ
【図１】
2005053640.tif 000003
【図２】
2005053640.tif 000004
【図３】
2005053640.tif 000005
【図４】
2005053640.tif 000006